(57)【要約】  本発明はクレジットカード知能型決済システム及び決済処理方法に関し、より詳しくは、加盟店のカード会社月限度額を超えたりまたは加盟店の他の理由でこれ以上クレジットカードの決済ができなかった問題点をＶＡＮまたはＰＧ連動を通じた二重化決済ができるように具現して安定的な決済が行われることができるようにしたクレジットカード知能型決済システム及び決済処理方法に関する。このために、知能型端末機とＶＡＮネットワーク網とＰＧネットワーク網とを含み、知能型端末機の設定によってＶＡＮ承認情報がＰＧ承認情報に変換されてＶＡＮ連動による決済処理でＰＧ連動による決済処理に変更されるか、ＰＧ承認情報がＶＡＮ承認情報に変換されてＰＧ連動による決済処理でＶＡＮ連動による決済処理に変更される。
2021521532.tif 000002
【特許請求の範囲】
【請求項１】
購買者のＩＣクレジットカード決済によってカード情報、商品金額、決済情報を含む取引情報が入力され、ＶＡＮ連動またはＰＧ連動を通じた決済処理ネットワークを自動的に設定して実行する加盟店（１０）の知能型端末機（１００）と、
前記知能型端末機（１００）のＶＡＮ連動によって入力された取引情報をＶＡＮ承認情報で暗号化して処理するＶＡＮネットワーク網（１ａ）と、
前記知能型端末機（１００）のＰＧ連動によって入力された取引情報をＰＧ承認情報で暗号化して処理するＰＧネットワーク網（１ｂ）と、を含み、
前記知能型端末機（１００）の設定によってＶＡＮ連動による決済処理で加盟店関連エラーで承認拒絶の場合自動的にルーティングされてＰＧ連動を通じた決済処理への変更を表示し、ＶＡＮ承認情報がＰＧ承認情報に変換されてＶＡＮ連動による決済処理でＰＧ連動による決済処理に変更される二重化決済構造で構成され、
前記知能型端末機（１００）のディスプレー（１０１）に出力される加盟店商品販売画面とクレジットカード取り消し画面でＶＡＮ連動を通じた決済であるかＰＧ連動を通じた決済であるかまたは選択的にＶＡＮ連動とＰＧ連動を変更して処理することができる複合決済であるかを選択することを特徴とするクレジットカード知能型決済システム。
【請求項２】
前記知能型端末機（１００）は、
購買者のクレジットカード（２）をリーディングして取引情報が入力されるカードリーダー部（１１０）と、
入力された取引情報と設定によってＶＡＮ連動またはＰＧ連動による決済ネットワークを選択するクレジットカード決済連動ルーティングモジュール、ＶＡＮ連動の時承認情報を暗号化して生成するＶＡＮ連動承認情報生成モジュール、ＰＧ連動の時承認情報を暗号化して生成するＰＧ連動承認情報生成モジュール、ＶＡＮ連動承認情報の拒絶の時拒絶理由を分析してＰＧ連動設定可否を判断する応答メッセージ分析承認ルーティングモジュールを有する制御部（１３０）と、
通信網を通じてＶＡＮ連動承認モジュールとＰＧ連動承認モジュール及び取り引きが完了された取引情報をＤＢサーバー（２００）に保存するための通信モジュールを有する通信処理部（１４０）と、
取引完了承認前の取引情報が暗号化されて臨時保存されるクレジットカード直前承認取引保存モジュールを有するメモリー部（１５０）と、を少なくとも一つ以上含んで構成されることを特徴とする請求項１に記載のクレジットカード知能型決済システム。
【請求項３】
購買者のＩＣクレジットカードからカード情報、商品金額、決済情報を含む取引情報を確認し、設定によってＶＡＮ連動またはＰＧ連動を選択するステップＳ１と、
前記ステップＳ１のＶＡＮ連動によってＶＡＮ承認情報を生成し、ＶＡＮネットワーク網を利用して承認要請するステップＳ２と、
前記ステップＳ２による承認要請結果によって正常承認または承認拒絶可否を確認するステップＳ３と、
前記ステップＳ３で正常承認の場合、取引情報を保存し、領収証を出力して取り引きを完了するステップＳ４と、
前記ステップＳ３で承認拒絶の場合、エラーコードを分析するステップＳ５と、
前記ステップＳ５によって加盟店関連エラーの確認時自動的にルーティングされてＰＧ連動を通じた決済処理への変更を表示し、ＶＡＮ承認情報をＰＧ承認情報に変換してＰＧネットワーク網を利用して承認要請するステップＳ６と、
前記ステップＳ６による承認要請結果によって正常承認または承認拒絶可否を確認するステップＳ７と、
前記ステップＳ７で正常承認の場合、取引情報を保存し、領収証を出力して取り引きを完了するステップＳ８と、
前記ステップＳ７で承認拒絶の場合、購買者関連エラー可否と判断して取り引きを終了させるステップＳ８とを含んでなり、
前記ステップＳ１の前に知能型端末機のディスプレーに出力される加盟店商品販売画面でＶＡＮ連動とＰＧ連動を変更して処理することができる複合決済を選択するステップを実行することを特徴とする請求項１または２によるクレジットカード知能型決済システムを利用したクレジットカード知能型決済方法。
【請求項４】
前記ステップＳ４及びステップＳ８は、取り引きを完了する直前に、購買者の最終購買意思を確認するＳＳ１過程を含むことを特徴とする請求項３に記載のクレジットカード知能型決済方法。
【請求項５】
前記ＳＳ１過程は、取り消し要請によるＶＡＮ承認情報またはＰＧ承認情報を生成してＶＡＮネットワーク網またはＰＧネットワーク網を利用して取り消し承認要請し、取り消し承認要請結果によって正常承認時取り消された取引情報をサーバー（２００）に保存し、臨時保存された取引情報は削除することを特徴とする請求項４に記載のクレジットカード知能型決済方法。
【請求項６】
前記ステップＳ４及びステップＳ８は、取り引きが完了された後、購買者の購買取り消し要請による取引取り消しステップＳ９を含むことを特徴とする請求項４に記載のクレジットカード知能型決済方法。
【請求項７】
前記取引取り消しステップＳ９は、
購買者のＩＣクレジットカードからカード情報、商品金額、決済情報を含む取り消し情報を確認するＳ９１過程と、
前記Ｓ９１過程での取り消し情報をサーバー（２００）に保存された取引情報と比較確認し、ＶＡＮ連動またはＰＧ連動を通じた決済処理であるかを確認するＳ９２過程と、
前記Ｓ９２過程で確認された決済処理によって取り消し要請によるＶＡＮ承認情報またはＰＧ承認情報を生成してＶＡＮネットワーク網またはＰＧネットワーク網を利用して取り消し承認要請し、取り消し承認要請結果によって取り消された取引情報をサーバー（２００）に保存し、臨時保存された取引情報は削除することを特徴とする請求項６に記載のクレジットカード知能型決済方法。
【発明の詳細な説明】
【技術分野】
【０００１】
本発明はクレジットカード知能型決済システム及び決済処理方法に関し、より詳しくは、加盟店のカード会社月限度額を超えたりまたは加盟店の他の理由でこれ以上クレジットカードで決済ができなかった問題点をＶＡＮまたはＰＧ連動を通じた二重化決済ができるように具現して安定的に決済が行われることができるようにしたクレジットカード知能型決済システム及び決済処理方法に関する。
【背景技術】
【０００２】
一般的に、クレジットカードをお持ちの消費者がオンラインまたはオフラインで品物を買ったり代金を決済する場合、周知のように、オフライン上ではＶＡＮ（Ｖａｌｕｅ  Ａｄｄｅｄ  Ｎｅｔｗｏｒｋ）連動を通じた決済が行われ、オンライン上ではＰＧ（Ｐａｙｍｅｎｔ  Ｇａｔｅｗａｙ）連動を通じた決済が行われる。
【０００３】
このような決済は、韓国公開特許第１０−２００６−０１０８３５８号公報及び韓国公開特許第１０−２０１５−００２９６６４号公報などを通じて分かることができるように現在通常的に行われている決済システムである。
【０００４】
そして、加盟店はＶＡＮ連動またはＰＧ連動を通じてクレジットカード会社でクレジットカード決済が承認されると、消費者にクレジットカード伝票を提供することで販売行為が完了し、承認された売上高は所定の処理過程を経て加盟店の口座が開設された銀行に振り込まれ、加盟店はこれを現金化して用いる。
【０００５】
一方、クレジットカード会社は、加盟店の業種に対して信用決済による多様な事故を防止するためにクレジットカード決済を利用可能な限度を大部分月単位で決めている。
【０００６】
普遍的に業種によってある程度の売上げを予想したカード会社の統計で加盟店の限度が決められ、事実上このような加盟店の限度は加盟店が要請する場合、特別な理由がなければ限度の増額が容易にできる。
【０００７】
しかしながら、加盟店の立場で月別売上げは時期によって異なり、カード会社の加盟店限度設定によって消費者のカード決済時に加盟店の限度超過により決済ができない場合、これは加盟店の売上げ損失につながるしかないという問題点を有する。
【０００８】
一方、オンライン決済ではＰＧ連動を通じてＰＧ会社が結局クレジットカード会社と代表加盟店契約を結び、クレジットカードの決済及び支払いを代行した後、下部のショッピングモール（加盟店）から手数料を取り、実質的にオンライン上ではＰＧ連動を利用する下部ショッピングモールはＰＧ会社が電子支払いサービスを代行しているため、オフラインのような加盟店限度がないと見ることができる。
【０００９】
しかし、オフラインでは個別それぞれの加盟店がそれぞれの端末機を通じてＶＡＮ連動を利用することで直接クレジットカード会社と連結されてそれぞれ加盟店のクレジットカード決済限度が売上げに直接的な制約になる要素がある。
【００１０】
このように、オフラインで行われるクレジットカードの決済の時、加盟店の限度超過または特別な理由でクレジットカードの決済が行われなかった問題点を解決し、加盟店内で加盟店の問題により消費者のクレジットカードの決済が中断されずに安定的に決済が行われることができるシステムが要求されている実情である。
【発明の概要】
【発明が解決しようとする課題】
【００１１】
本発明は前述した問題点を解決するために案出されたもので、端末機を通じてオフラインカード決済の時加盟店の限度超過または加盟店の他の理由によって購買者のクレジットカードの決済が中断されずに安定的にクレジットカードの決済が行われることができるように構成されたクレジットカード知能型決済システム及び決済処理方法を提供することをその目的とする。
【課題を解決するための手段】
【００１２】
前記のような目的を果たすために、本発明によるクレジットカード知能型決済システムは、購買者のＩＣクレジットカード決済によってカード情報、商品金額、決済情報を含む取引情報が入力され、ＶＡＮ連動またはＰＧ連動を通じた決済処理ネットワークを自動的に設定して実行する加盟店の知能型端末機と、知能型端末機のＶＡＮ連動によって入力された取引情報をＶＡＮ承認情報で暗号化して処理するＶＡＮネットワーク網と、知能型端末機のＰＧ連動によって入力された取引情報をＰＧ承認情報で暗号化して処理するＰＧネットワーク網と、を含む。
【００１３】
それによって、知能型端末機の設定によってＶＡＮ承認情報がＰＧ承認情報に変換されてＶＡＮ連動による決済処理でＰＧ連動による決済処理に変更されるか、ＰＧ承認情報がＶＡＮ承認情報に変換されてＰＧ連動による決済処理でＶＡＮ連動による決済処理に変更されて行われることを特徴とする。
【００１４】
知能型端末機は、購買者のクレジットカードをリーディングして取引情報が入力されるカードリーダー部と、入力された取引情報と設定によってＶＡＮ連動またはＰＧ連動による決済ネットワークを選択するクレジットカード決済連動ルーティングモジュール、ＶＡＮ連動の時承認情報を暗号化して生成するＶＡＮ連動承認情報生成モジュール、ＰＧ連動の時承認情報を暗号化して生成するＰＧ連動承認情報生成モジュール、ＶＡＮ連動承認情報の拒絶の時拒絶理由を分析してＰＧ連動設定可否を判断する応答メッセージ分析承認ルーティングモジュールを有する制御部と、通信網を通じてＶＡＮ連動承認モジュールとＰＧ連動承認モジュール及び取り引きが完了された取引情報をＤＢサーバーに保存するための通信モジュールを有する通信処理部と、取引完了承認前の取引情報が暗号化されて臨時保存されるクレジットカード直前承認取引保存モジュールを有するメモリー部とを少なくとも一つ以上含んで構成される。
【００１５】
知能型端末機は、取引情報を含むデータをディスプレー上に出力する画面出力部と、取り引きが完了された領収証を含む印刷情報を印刷装置を通じて出力する印刷出力部をさらに含んで構成される。
【００１６】
一方、クレジットカード知能型決済システムを利用したクレジットカード知能型決済処理方法は下記のように具現される。
【００１７】
購買者のＩＣクレジットカードからカード情報、商品金額、決済情報を含む取引情報を確認し、設定によってＶＡＮ連動またはＰＧ連動を選択するステップＳ１と、ステップＳ１のＶＡＮ連動によってＶＡＮ承認情報を生成し、ＶＡＮネットワーク網を利用して承認要請するステップＳ２と、ステップＳ２による承認要請結果によって正常承認または承認拒絶可否を確認するステップＳ３と、ステップＳ３で正常承認の場合取引情報を保存し、領収証を出力して取り引きを完了するステップＳ４と、ステップＳ３で承認拒絶の場合、エラーコードを分析するステップＳ５と、ステップＳ５によって加盟店関連エラーの確認時ＰＧ連動を通じた決済処理への変更を表示し、ＶＡＮ承認情報をＰＧ承認情報に変換してＰＧネットワーク網を利用して承認要請するステップＳ６と、ステップＳ６による承認要請結果によって正常承認または承認拒絶可否を確認するステップＳ７と、ステップＳ７で正常承認の場合取引情報を保存し、領収証を出力して取り引きを完了するステップＳ８と、ステップＳ７で承認拒絶の場合購買者関連エラー可否と判断して取り引きを終了させるステップＳ８とを含んでなる。
【００１８】
そして、ステップＳ４及びステップＳ８は、取り引きを完了する直前に、購買者の最終購買意思を確認するＳＳ１過程を含む。
【００１９】
ＳＳ１過程は、取り消し要請によるＶＡＮ承認情報またはＰＧ承認情報を生成してＶＡＮネットワーク網またはＰＧネットワーク網を利用して取り消し承認要請し、取り消し承認要請結果によって正常承認時取り消された取引情報をサーバーに保存し、臨時保存された取引情報は削除する。
【００２０】
一方、ステップＳ４及びステップＳ８は、取り引きが完了された後、購買者の購買取り消し要請による取引取り消しステップＳ９を含む。
【００２１】
取引取り消しステップＳ９は、購買者のＩＣクレジットカードからカード情報、商品金額、決済情報を含む取り消し情報を確認するＳ９１過程と、Ｓ９１過程での取り消し情報をサーバー２００に保存された取引情報と比較確認し、ＶＡＮ連動またはＰＧ連動を通じた決済処理であるかを確認するＳ９２過程と、Ｓ９２過程で確認された決済処理によって取り消し要請によるＶＡＮ承認情報またはＰＧ承認情報を生成してＶＡＮネットワーク網またはＰＧネットワーク網を利用して取り消し承認要請し、取り消し承認要請結果によって取り消された取引情報をサーバーに保存し、臨時保存された取引情報は削除する。
【発明の効果】
【００２２】
このように本発明によるクレジットカード知能型決済システム及び決済処理方法は、第一、ＩＣクレジットカードを利用した決済の時必要によってＶＡＮ連動とＰＧ連動を自動的にルーティング（ＲＯＵＴＩＮＧ）してクレジットカード決済を行うことによって保安性及び便利性を高めるという効果を奏する。
【００２３】
第二、ＶＡＮまたはＰＧ連動を通じた二重化決済構造により、加盟店は加盟店限度に制限されることなく決済が絶対に中断されずに安定的に決済が行われるという効果を奏する。
【図面の簡単な説明】
【００２４】
【図１】本発明によるクレジットカード知能型決済システムを示す図面である。
【図２】図１による知能型端末機を示す構成図である。
【図３】図２による知能型端末機に表示される画面の一実施例を示す図面である。
【図４】本発明によるクレジットカード知能型決済システムの処理過程を示す構成図である。
【図５】図４によるクレジットカード決済処理流れを示す図面である。
【図６】図５による購買者の取引取り消し要請時に処理される取り消し処理流れを示す図面である。
【図７】図５による購買者の取引取り消し要請時に処理される取り消し処理流れを示す図面である。
【図８】図２による知能型端末機に表示される管理者画面の一実施例を示す図面である。
【発明を実施するための形態】
【００２５】
本発明は最善の形態で、購買者のＩＣクレジットカード決済によってカード情報、商品金額、決済情報を含む取引情報が入力され、ＶＡＮ連動またはＰＧ連動を通じた決済処理ネットワークを自動的に設定して行う加盟店１０の知能型端末機１００と、前記知能型端末機１００のＶＡＮ連動によって入力された取引情報をＶＡＮ承認情報で暗号化して処理するＶＡＮネットワーク網１ａと、前記知能型端末機１００のＰＧ連動によって入力された取引情報をＰＧ承認情報で暗号化して処理するＰＧネットワーク網１ｂとを含み、前記知能型端末機１００の設定によってＶＡＮ連動による決済処理で加盟店関連エラーで承認拒絶の場合、自動的にルーティングされてＰＧ連動を通じた決済処理への変更を表示し、ＶＡＮ承認情報がＰＧ承認情報に変換されてＶＡＮ連動による決済処理でＰＧ連動による決済処理に変更される二重化決済構造からなり、前記知能型端末機１００のディスプレー１０１に出力される加盟店商品販売画面とクレジットカード取り消し画面でＶＡＮ連動を通じた決済であるかＰＧ連動を通じた決済であるかまたは選択的にＶＡＮ連動とＰＧ連動を変更して処理することができる複合決済であるかを選択することを特徴とするクレジットカード知能型決済システムを提示する。
発明の実施形態
【００２６】
以下、添付図面を参照して本発明によるクレジットカード知能型決済システム及び決済処理方法の好ましい実施例について詳細に説明する。
【００２７】
本発明を説明するにおいて、係わる公知機能あるいは構成に対する具体的な説明は本発明の要旨を曖昧しないようにするために省略する。
【００２８】
まず、本発明によるクレジットカード知能型決済システム及び決済処理方法は、加盟店１０の選択的状況によって購買者のＩＣクレジットカード決済処理ネットワークをＶＡＮ連動またはＰＧ連動決済処理に自動的に変更処理することができて、二重化決済構造によって加盟店は加盟店限度に制限されることなく安定的に決済が行われることができるようにする。
【００２９】
このために、本発明によるクレジットカード知能型決済システム１は、大きく加盟店１０に具備された知能型端末機１００と、ＶＡＮネットワーク網１ａ及びＰＧネットワーク網１ｂを含む。
【００３０】
知能型端末機１００は、購買者のＩＣクレジットカード決済によってカード情報、商品金額、決済情報を含む取引情報が入力され、ＶＡＮ連動またはＰＧ連動を通じた決済処理ネットワークを自動的に設定して行う。
【００３１】
そして、ＶＡＮネットワーク網１ａは知能型端末機１００のＶＡＮ連動によって入力された取引情報をＶＡＮ承認情報で暗号化して処理し、ＶＡＮ会社２０ａとクレジットカード会社４０ａがＶＡＮネットワーク網１ａを通じて連結されている。
【００３２】
ＶＡＮネットワーク網１ａを通じた決済処理は通常的な処理過程に従い、具体的な説明は本発明の要旨を曖昧にしないようにするために省略する。
【００３３】
また、ＰＧネットワーク網１ｂは知能型端末機１００のＰＧ連動によって入力された取引情報をＰＧ承認情報で暗号化して処理するが、ＰＧ会社３０、ＶＡＮ会社２０ｂとクレジットカード会社４０ｂがＰＧネットワーク網１ｂを通じて連結されている。
【００３４】
上述したように構成されたクレジットカード知能型決済システム１は、知能型端末機１００の設定によってＶＡＮ承認情報がＰＧ承認情報に変換されてＶＡＮ連動による決済処理でＰＧ連動による決済処理に変更されるか、ＰＧ承認情報がＶＡＮ承認情報に変換されてＰＧ連動による決済処理でＶＡＮ連動による決済処理に変更されてなることを特徴とする。
【００３５】
この時、前記知能型端末機１００は、通常、ＶＡＮ会社から承認されて固有番号が登録された加盟店１０の内部のＰＯＳ端末機であってもよく、また別途のアプリケーションを搭載して前記ＰＯＳ端末機の役割を果たすことができるスマートフォンなどの移動器機になり得ることは勿論である。
【００３６】
一方、図２及び図４を参照すれば、知能型端末機１００は、購買者のクレジットカード２をリーディングして取引情報が入力されるカードリーダー部１１０と、入力された取引情報と設定によってＶＡＮ連動またはＰＧ連動による決済ネットワークを選択するクレジットカード決済連動ルーティングモジュール、ＶＡＮ連動の時承認情報を暗号化して生成するＶＡＮ連動承認情報生成モジュール、ＰＧ連動の時承認情報を暗号化して生成するＰＧ連動承認情報生成モジュール、ＶＡＮ連動承認情報の拒絶の時拒絶理由を分析してＰＧ連動設定可否を判断する応答メッセージ分析承認ルーティングモジュールを有する制御部１３０と、通信網を通じてＶＡＮ連動承認モジュールとＰＧ連動承認モジュール及び取り引きが完了された取引情報をＤＢサーバー２００に保存するための通信モジュールを有する通信処理部１４０と、取引完了承認前の取引情報が暗号化されて臨時保存されるクレジットカード直前承認取引保存モジュールを有するメモリー部１５０とを少なくとも一つ以上含んで構成される。
【００３７】
このような構成によって、制御部１３０を通じてクレジットカード決済処理方法が選択され、これを加盟店の店主または購買者が確認することができるようにディスプレーする。
【００３８】
また、知能型端末機１００は、取引情報を含むデータをディスプレーに出力する画面出力部１２０と、取り引きが完了された領収証を含む印刷情報を印刷装置１０３を通じて出力する印刷出力部１６０をさらに含んで構成される。
【００３９】
一方、図３を参照すれば、このような知能型端末機１００は、画面出力部１２０を通じてディスプレー１０１にＶＡＮ連動またはＰＧ連動決済処理を行うことができる画面を表示し、このような画面の実施例を表示する。
【００４０】
図示したように、加盟店商品販売画面とクーポン決済画面、クレジットカード取り消し画面、加盟店営業管理画面、加盟店事後免税（ＴＡＸ  ＲＥＦＵＮＤ）画面を表示する。
【００４１】
そして、前記加盟店商品販売画面とクレジットカード取り消し画面でＶＡＮ連動を通じた決済であるか、ＰＧ連動を通じた決済であるかまたは必要によって選択的にＶＡＮ連動とＰＧ連動を変更して処理することができる複合決済であるかを選択することができる。
【００４２】
加盟店営業管理画面を通じて最初決済処理設定を選択的に変更することができることは勿論である。
【００４３】
次に、図５を参照してクレジットカード知能型決済システム１を利用した決済処理方法による決済処理流れの一実施例について説明すれば以下の通りである。
【００４４】
本発明によるクレジットカード知能型決済システムを利用した決済処理方法は、下記のような流れを有する。
【００４５】
まず、購買者のＩＣクレジットカードからカード情報、商品金額、決済情報を含む取引情報を確認し、設定によってＶＡＮ連動またはＰＧ連動を選択するステップＳ１と、前記ステップＳ１のＶＡＮ連動によってＶＡＮ承認情報を生成し、ＶＡＮネットワーク網を利用して承認要請するステップＳ２と、前記ステップＳ２による承認要請結果によって正常承認または承認拒絶可否を確認するステップＳ３と、前記ステップＳ３で正常承認の場合取引情報を保存し、領収証を出力して取り引きを完了するステップＳ４と、前記ステップＳ３で承認拒絶の場合エラーコードを分析するステップＳ５と、前記ステップＳ５によって加盟店関連エラーを確認する時、ＰＧ連動を通じた決済処理への変更を表示し、ＶＡＮ承認情報をＰＧ承認情報に変換してＰＧネットワーク網を利用して承認要請するステップＳ６と、前記ステップＳ６による承認要請結果によって正常承認または承認拒絶可否を確認するステップＳ７と、前記ステップＳ７で正常承認の場合、取引情報を保存し、領収証を出力して取り引きを完了するステップＳ８と、前記ステップＳ７で承認拒絶の場合、購買者関連エラー可否と判断して取り引きを終了させるステップＳ８とを含んでなる。
【００４６】
一方、ステップＳ４及び前記ステップＳ８は、取り引きを完了する直前に、購買者の最終購買意思を確認するＳＳ１過程を含む。図６を参照すれば、ＳＳ１過程は、取り消し要請によるＶＡＮ承認情報またはＰＧ承認情報を生成してＶＡＮネットワーク網またはＰＧネットワーク網を利用して取り消し承認要請し、取り消し承認要請結果によって正常承認時取り消された取引情報をサーバー２００に保存し、臨時保存された取引情報は削除する。
【００４７】
また、ステップＳ４及び前記ステップＳ８は、取り引きが完了された後、購買者の購買取り消し要請による取引取り消しステップＳ９を含む。図７を参照すれば、下記のような流れを有する。
【００４８】
前記取引取り消しステップＳ９は、購買者のＩＣクレジットカードからカード情報、商品金額、決済情報を含む取り消し情報を確認するＳ９１過程と、前記Ｓ９１過程での取り消し情報をサーバー２００に保存された取引情報と比較確認し、ＶＡＮ連動またはＰＧ連動を通じた決済処理であるかを確認するＳ９２過程と、前記Ｓ９２過程で確認された決済処理によって取り消し要請によるＶＡＮ承認情報またはＰＧ承認情報を生成してＶＡＮネットワーク網またはＰＧネットワーク網を利用して取り消し承認要請し、取り消し承認要請結果によって取り消された取引情報をサーバー２００に保存し、臨時保存された取引情報は削除する。
【００４９】
以上で説明した本発明は発明が属する技術分野において通常の知識を有する者にとって本発明の技術的思想を逸脱しない範囲内で様々な置き換え変形及び変更が可能であるので、前述した実施例及び添付された図面に限定されるのではない。
【００５０】
上述したように、本発明によるクレジットカード知能型決済システム及び決済処理方法は、ＩＣクレジットカードを利用した決済の時必要によってＶＡＮ連動とＰＧ連動を自動的にルーティング（ＲＯＵＴＩＮＧ）してクレジットカードの決済を行うことによって保安性及び便利性を高めるだけでなく、ＶＡＮまたはＰＧ連動を通じた二重化決済構造で加盟店は加盟店限度に制限されることなく決済が絶対に中断されずに安定的に決済が行われる。
【図１】
2021521532.tif 000003
【図２】
2021521532.tif 000004
【図３】
2021521532.tif 000005
【図４】
2021521532.tif 000006
【図５】
2021521532.tif 000007
【図６】
2021521532.tif 000008
【図７】
2021521532.tif 000009
【図８】
2021521532.tif 000010
【国際調査報告】
2021521532.tif 000011
2021521532.tif 000012
2021521532.tif 000013
2021521532.tif 000014